(57)【要約】【課題】  原稿コピー時における原稿のパンチ孔と同じ位置へのパンチ孔の形成を容易に行う。【解決手段】  原稿給送部２００による原稿給送時におけるパンチ孔検出部（フォトセンサ）よるパンチ孔の検出、及びこの検出情報に基づく孔位置判別部２３による判別（検出）によって得られた、原稿のパンチ孔位置の情報に基づいて、原稿読取部３００によって読み取られた原稿画像が画像回転部４１により所定角度回転され、用紙情報再設定部２４によって、原稿画像の回転角度の情報と用紙情報記憶部２２に記憶された設定情報における用紙の向きの情報とに基づいて、当該用紙情報記憶部２２に設定情報として設定されている用紙の向きの情報が、原稿画像の向きと一致する用紙の向きの情報に再設定される。【選択図】  図４
2005269173.tif 000002
【特許請求の範囲】
【請求項１】
原稿給送部により給送された原稿を読み取り、読み取った原稿画像を用紙に対して印刷するとともに、当該印刷がなされた用紙にパンチ孔を形成するパンチ機能を備えた画像形成装置であって、
前記用紙のサイズ及び向きに関する設定情報を記憶する用紙情報記憶手段と、
前記サイズ及び向きを有する原稿の給送時又は読み取り後に、当該原稿のパンチ孔の位置を検出する孔位置検出手段と、
前記孔位置検出手段によって検出された孔位置の情報に基づいて、前記読み取った原稿画像を所定角度回転させる画像回転手段と、
前記画像回転手段によって回転された原稿画像の回転角度の情報と、前記用紙情報記憶手段に記憶された用紙の向きの情報とに基づいて、前記用紙情報記憶手段に設定された用紙の向きの情報を、当該原稿画像の向きと一致する用紙の向きの情報に再設定する再設定手段とを備えることを特徴とする画像形成装置。
【請求項２】
前記孔位置検出手段は、前記原稿給送部の搬送路に、搬送方向と略垂直方向に並設され且つ搬送時の原稿のパンチ孔位置に対応して配置された複数の光センサを備えてなることを特徴とする請求項１記載の画像形成装置。
【請求項３】
前記光センサは、所定の光を出射する発光部と当該出射された光を受光する受光部とを備え、
前記孔位置検出手段は、原稿給送時の原稿の移動に伴う前記受光部による受光レベルの変化の違いに基づいて前記原稿のパンチ孔位置を検出することを特徴とする請求項２記載の画像形成装置。
【請求項４】
前記画像回転手段は、用紙におけるパンチ孔の位置を搬送方向の前後いずれかの側の位置に揃えるべく原稿画像を回転させることを特徴とする請求項１〜３のいずれかに記載の画像形成装置。
【請求項５】
前記孔位置検出手段は、前記読み取った原稿画像に基づいて、所定の画像処理によって原稿におけるパンチ孔の位置を検出する画像処理部であることを特徴とする請求項１記載の画像形成装置。
【発明の詳細な説明】
【技術分野】
【０００１】
本発明は、複写機等の画像形成装置に関し、特に、パンチ処理機能を有する後処理部を備えた画像形成装置に関する。
【背景技術】
【０００２】
従来、複写機等の画像形成装置においては、例えば装置本体の一側部に後処理部（後処理装置）を備え、装置本体から搬送（搬入）されてきた用紙（記録紙）に対して、パンチ孔の形成を行うパンチ処理を行うことが可能に構成されているものがある。一般的にこのパンチ処理は、原稿のパンチ孔の有無とは関係なくコピーされた用紙に対する後処理として行われるものであった。
【０００３】
ところで、パンチ孔が形成されている原稿のコピーを行う際、当該コピーを行うとともに原稿と同じ位置にパンチ孔を形成して原稿と同じ状態で出力させたい場合がある。この場合、原稿のパンチ孔の形成位置は、例えば上下左右のうちのいずれかの端部（端辺部）であり、上記原稿と同じ状態で出力しようとすると、用紙の向きやパンチ孔の形成位置等を考慮しつつ試しにコピーを行うなどして、所望の位置にパンチ孔が形成されるよう煩雑な作業（調整）を行う必要があり、非常に手間のかかるものであった。
【０００４】
これに対し、例えば特許文献１では、表示画面上でパンチ孔を形成する位置を選択して入力（設定）し、この情報に基づいて原稿のパンチ孔と同じ位置にパンチ孔を形成してコピーを行う技術が開示されている。
【特許文献１】特開平９−８６７８０号公報
【発明の開示】
【発明が解決しようとする課題】
【０００５】
しかしながら、上記特許文献１に開示されている技術では、パンチ孔選択用画面を表示させ、パンチ孔の形成位置を選択して入力する操作が必要であり、依然として手間がかかってしまうという問題がある。
【０００６】
また、例えば、それぞれパンチ孔の形成位置が異なる原稿が混在するような原稿（束）に対しては、各パンチ孔の位置に応じた原稿毎に分けて処理する必要があり（一度に纏めて処理できず）、その都度、上記パンチ孔選択用画面の表示及びパンチ孔の形成位置の選択を行う必要があり、結果、全原稿に対する処理に時間がかかってしまい、作業効率が悪いという問題も存在する。
【０００７】
本発明は上記問題に鑑みてなされたもので、パンチ孔位置が異なる原稿毎に分けて処理する必要がなく、原稿をコピーするとともに原稿のパンチ孔と同じ位置にパンチ孔を形することが容易に行え、ひいては作業効率を向上させることができる画像形成装置を提供することを目的とする。
【課題を解決するための手段】
【０００８】
本発明に係る画像形成装置は、原稿給送部により給送された原稿を読み取り、読み取った原稿画像を用紙に対して印刷するとともに、当該印刷がなされた用紙にパンチ孔を形成するパンチ機能を備えた画像形成装置であって、前記用紙のサイズ及び向きに関する設定情報を記憶する用紙情報記憶手段と、前記サイズ及び向きを有する原稿の給送時又は読み取り後に、当該原稿のパンチ孔の位置を検出する孔位置検出手段と、前記孔位置検出手段によって検出された孔位置の情報に基づいて、前記読み取った原稿画像を所定角度回転させる画像回転手段と、前記画像回転手段によって回転された原稿画像の回転角度の情報と、前記用紙情報記憶手段に記憶された用紙の向きの情報とに基づいて、前記用紙情報記憶手段に設定された用紙の向きの情報を、当該原稿画像の向きと一致する用紙の向きの情報に再設定する再設定手段とを備えることを特徴とする。
【０００９】
上記構成によれば、画像回転手段は、孔位置検出手段によって検出された原稿のパンチ孔位置の情報に基づいて、読み取られた原稿画像を所定角度回転し、再設定手段は、原稿画像の回転角度の情報と、用紙情報記憶手段に記憶された設定情報における用紙の向きの情報とに基づいて、用紙情報記憶手段に設定情報として設定（記憶）されている用紙の向きの情報を、原稿画像の向きと一致する用紙の向き（例えば給紙カセットの選択情報）の情報に再設定（変更）させる。
【００１０】
また、前記孔位置検出手段は、前記原稿給送部の搬送路に、搬送方向と略垂直方向に並設され且つ搬送時の原稿のパンチ孔位置に対応して配置されてなる複数の光センサを備えることが好ましい。これによれば、原稿給送部によって原稿が搬送路を搬送され、複数の光センサによって原稿に対する搬送方向の走査が行われる。いずれかの光センサは、走査線上に存在するパンチ孔の検出を行う。
【００１１】
また、前記光センサは、所定の光を出射する発光部と当該出射された光を受光する受光部とを備え、前記孔位置検出手段は、原稿給送時の原稿の移動に伴う前記受光部による受光レベルの変化の違いに基づいて前記原稿のパンチ孔位置を検出することが好ましい。これによれば、走査線上のパンチ孔の有無、あるいはパンチ孔の形成位置の違いに応じて受光部による受光レベル（信号）の波形（変化パターン）が異なるものとなり、この差違によってパンチ孔位置が検出される。
【００１２】
また、前記画像回転手段は、用紙におけるパンチ孔の位置を搬送方向の前後いずれかの側の位置に揃えるべく原稿画像を回転させることが好ましい。これによれば、原稿画像が回転され、用紙に対するパンチ孔の形成位置が搬送方向の前後いずれかの側の位置に揃えられる。
【００１３】
また、前記孔位置検出手段は、前記読み取った原稿画像に基づいて、所定の画像処理によって原稿におけるパンチ孔の位置を検出する画像処理部であることが好ましい。これによれば、画像処理部による画像処理によってパンチ孔の位置の検出が行われる。
【発明の効果】
【００１４】
請求項１記載の発明によれば、孔位置検出手段により検出された原稿のパンチ孔位置の情報に基づいて、読み取られた原稿画像が所定角度回転されるとともに、当該回転された原稿画像の向きと一致するように用紙の向きが自動的に変更されるため、パンチ孔の形成位置が異なる原稿毎に分けて処理する必要がなく、原稿をコピーするとともに当該原稿のパンチ孔と同じ位置へのパンチ孔の形成が容易に行えるようになり、ひいては作業効率が向上する。
【００１５】
請求項２記載の発明によれば、原稿給送部によって原稿が搬送路を搬送され、いずれかの光センサによって、走査線上に存在するパンチ孔の検出が行われるため、光センサを搬送路に配置するといった簡易な構成で、上記原稿をコピーするとともに当該原稿のパンチ孔と同じ位置へのパンチ孔の形成を行うことが可能となる。また、光センサを用いることにより、原稿搬送の妨げとなることなく確実にパンチ孔位置の検出を行うことができる。
【００１６】
請求項３記載の発明によれば、走査線上のパンチ孔の有無、あるいはパンチ孔の形成位置の違いに応じて受光部による受光レベルの波形が異なるものとなり、この差違によってパンチ孔位置が検出されるため、光センサの受光部による受光レベルの変化の違いに基づいて、パンチ孔位置の検出を容易に行うことができる。
【００１７】
請求項４記載の発明によれば、原稿画像が回転されて、用紙におけるパンチ孔の形成位置が搬送方向の前後いずれかの側の位置に揃えられるため、用紙に対するパンチ孔の形成位置を固定でき、パンチ処理を行う位置を搬送方向に対する前後左右の位置に切り替えるといった特別な装置を必要とせず、既設のパンチ処理部を用いた当該用紙に対するパンチ孔の形成を行うことができ、複写機の部品点数の低減を図ることができる。
【００１８】
請求項５記載の発明によれば、画像処理部による画像処理によってパンチ孔の位置の検出が行われるため、光センサ等を設けることなく、既存の画像処理部を用いてパンチ孔位置の検出を行うことができ、複写機の部品点数の低減を図ることができる。
【発明を実施するための最良の形態】
【００１９】
図１は、本発明の実施形態に係る画像形成装置の一例である複写機１の内部構成を概略的に示す断面図である。複写機１は、画像形成部１００、画像形成部１００を備える本体部１０の上方に設置された原稿給送部２００、本体部１０の上部に設置された原稿読取部３００、本体部１０の下部に設置された給紙部４００、本体部１０の一側辺部に設置された後処理部５００、本体部１０のフロント部（上部かつ正面側）に設置された操作表示部６００を備える。
【００２０】
原稿読取部３００は、原稿の読み取りを行って当該原稿に対する画像データを生成するものである。原稿読取部３００は、光学的に取得した原稿の画像から画像データを生成するＣＣＤ（Charge Coupled Device）センサ及び露光ランプ等を備えたスキャナ３０１等からなり、上面部に、原稿読み取り用の第１プラテンガラス３０２及び第２プラテンガラス３０３を備える。原稿読取部３００は、第１プラテンガラス３０２上に載置された原稿、又は原稿給送部２００によって第２プラテンガラス３０３に接するようにして搬送される原稿を走査しつつ取得した画像データを、後述する制御部２０へ出力する。
【００２１】
原稿給送部２００は、原稿読取部３００（第２プラテンガラス３０３の原稿読み取り位置）へ原稿を給送するとともに、原稿読取部３００による読み取り終了後の原稿を後述する原稿排出部２１３へ排出するものである。原稿給送部２００は、装置の背面側を回動支点として原稿読取部３００（本体部１０）の上面に対して可倒式に構成されており、第１プラテンガラス３０２（第２プラテンガラス３０３）の上面を開放するように上方かつ後方側に開くように持ち上げることにより、第１プラテンガラス３０２の上面に、例えば見開き状態にされた書籍等の読み取り用原稿（上記装置原稿）を載置することが可能に構成されている。なお、原稿給送部２００の詳細な構成については後述する。
【００２２】
給紙部４００は、画像形成部１００に対して用紙の給紙を行うものである。給紙部４００は、各サイズ及び各向き（後述の縦向き又は横向き）の用紙（記録紙）が収納される給紙カセット４０１、４０２、及び本体部１０の一側方部に開閉自在に構成された手差しトレイ４０３１等からなる手差し給紙部４０３を備える。また、給紙部４００は、給紙カセット４０１、４０２から画像形成部１００へ用紙を搬送する搬送経路４０４、手差し給紙部４０３から画像形成部１００へ用紙を搬送する搬送経路４０５を備える。各給紙カセット４０１、４０２及び手差し給紙部４０３は、収納されている用紙を取り出すためのピックアップローラ４０６〜４０８、用紙を１枚ずつ各搬送経路に送り出す給紙ローラ４０９〜４１１を備える。搬送経路４０４には、用紙を搬送する搬送ローラ４１２、４１３、及び搬送されてくる用紙を画像形成部１００の手前で待機させるレジストローラ４１４が設けられている。
【００２３】
画像形成部１００は、給紙部４００により搬送されてきた用紙に対して所定の画像を形成する（印刷する）ものである。画像形成部１００は、同図中に示す矢印方向に回転可能に支持された感光体ドラム１０１、感光体ドラム１０１の周囲に配設された帯電部１０２、現像部１０３、クリーニング部１０４、レーザ走査ユニット１０５、転写ローラ１０６、転写ローラ１０６の下流側に配設された定着ローラ１０７、及び画像形成後の用紙を、それぞれ排出トレイ１０８又は後処理部５００へ排出する排出ローラ対１０９、１１０を備える。
【００２４】
帯電部１０２は、感光体ドラム１０１の表面を所定電位に均一に帯電させるものである。レーザ走査ユニット１０５は、後述する画像記憶部３０に格納されている画像データに基づきレーザービームを感光体ドラム１０１の表面に照射し、感光体ドラム１０１表面に静電潜像を形成するものである。現像部１０３は、静電潜像にトナーを付着させて画像を顕在化させるものである。転写ローラ１０６は、搬送されてきた用紙を感光体ドラム１０１に押し付けた状態で、感光体ドラム１０１上に顕在化されたトナー像を当該用紙に転写するものである。定着ローラ１０７は、用紙に転写されたトナー像を定着させるものである。定着ローラ１０７は、ヒートローラ及び圧ローラからなり、このヒートローラの熱によって用紙上のトナーを溶かし、圧ローラによって圧力をかけてトナーを用紙上に定着させる。クリーニング部１０４は、用紙への画像の転写が終了した後、感光体ドラム１０１の表面に残留しているトナーを清掃するものである。
【００２５】
操作表示部６００は、ユーザの操作に応じて所定の指示入力を行うものである。操作表示部６００は、ユーザが印刷実行指示を入力するためのスタートキー６０１と、印刷部数等を入力するためのテンキー６０２と、各種複写動作の設定等を入力するための操作ガイド情報（メッセージ）等を表示すると共に、種々の操作ボタン等が表示される液晶表示器（ＬＣＤ）等からなる表示器６０３と、後述するパンチ孔開けモードの設定に関する指示入力用の孔開けモードキー６０４とを備える。
【００２６】
後処理部５００は、排出ローラ対１１０によって排出（搬入）された用紙に対し、パンチ孔の形成を行う（パンチ処理を行う）パンチ処理部５０１を備える。このパンチ処理部５０１では、後処理部５００に搬入される用紙の搬送方向の用紙面と直交する方向に、所望のパンチ孔（例えば、２個のパンチ孔）を穿孔する（つまり、用紙搬送方向と平行な方向には穿孔できない）。また、後処理部５００は、搬入された用紙を搬送する搬入ローラ対５０２、搬送されてきた用紙を用紙束として一時的にスタック（積載）するスタックトレイ５０３、用紙束に対して綴じ処理を行う（ステイプル処理を行う）ステイプル処理部５０４、昇降機構５０５によって昇降可能にされたメイントレイ５０６、スタックトレイ５０３から搬送された用紙をメイントレイ５０６へ排出する排出ローラ対５０７、後処理部５００の上部一側面側に配設されたサブトレイ５０８、搬入ローラ対５０２からの用紙の搬送方向をスタックトレイ５０３側とサブトレイ５０８側とに切り替える搬送分岐ガイド５０９、及びサブトレイ５０８へ用紙を排出する排出ローラ対５１０を備える。さらに、後処理部５００には、スタックトレイ５０３に用紙を搬入する複数の搬入ローラ対５１１と、スタックトレイ５０３への用紙の搬入を案内する複数の可動案内部５１２及び静止案内部５１３とが用紙の搬入方向に対して所定の間隔を置いて設けられている。これにより、スタックトレイ５０３への用紙の搬入経路を用紙のサイズに応じて切り替え、用紙の端部が揃った状態でスタックトレイ５０３へ搬入することが可能にされている。
【００２７】
スタックトレイ５０３は、スタックトレイ５０３に搬入された用紙（用紙束）の下部端を受け止めて保持する受止部材（図略）と、この受止部材を用紙の搬出方向に移動させる駆動部５１４とを備える。制御部２０からの制御信号に応じて駆動部５１４が駆動することにより、受止部材で保持された用紙は排出ローラ対５０７まで搬送され、排出ローラ対５０７によってメイントレイ５０６へ排出される。なお、スタックトレイ５０３には、当該スタックトレイ５０３の幅方向に所定間隔をおいて往復移動自在に配置された一対の幅寄せ板５１５が並設されており、この幅寄せ板５１５により、スタックトレイ５０３上に積載された用紙が幅方向で揃えられたり、あるいは用紙（束）が幅方向に移動されて一束毎に排出位置がずらされてメイントレイ５０６へ排出されることが可能にされている。
【００２８】
図２は、図１に示す原稿給送部２００の拡大図である。図２に示すように原稿給送部２００は、原稿載置部２０１、ピックアップローラ２０２、搬入ローラ２０３、搬送ローラ２０４、搬送ドラム２０５、読み取りガイド部材２０６、搬送ローラ２０７、排出ローラ２０８、反転ローラ２０９、ストッパ２１０、セットスイッチ２１１、分岐ガイド２１２、原稿排出部２１３、原稿の搬送経路である搬送路２２０、２３０、２４０及び２５０、並びにパンチ孔検出部２６０を備える。
【００２９】
原稿載置部２０１は、所定枚数の原稿Ｓを載置するための台部である。ピックアップローラ２０２は、原稿載置部２０１に載置された原稿Ｓを搬入ローラ２０３側へ向けて繰り出すためのものである。ピックアップローラ２０２は、外形視略箱状（長方体状）の可動部材２１０１によって搬入ローラ２０３の回転軸を中心として揺動（回動）可能に支持されており、原稿読み取り時には、可動部材２１０１による符号２１０２で示す矢印方向への回動によって原稿載置部２０１上に載置された原稿Ｓ上に押し付けられ、当該押し付けられた原稿Ｓを搬入ローラ２０３側へ向けて搬送する。搬入ローラ２０３は、単に原稿Ｓを搬入するだけでなく、ピックアップローラ２０２によって原稿載置部２０１から繰り出された原稿Ｓを１枚ずつ原稿給送部２００本体内に搬入するための所謂用紙捌きローラでもある。搬入ローラ２０３と対向する位置には、分離パッド２０３１（フリクションパッド）が設けられており、原稿Ｓに対する搬入ローラ２０３の摩擦係数、原稿Ｓに対する分離パッド２０３１の摩擦係数、及び原稿Ｓ同士の摩擦係数の違いを利用し、重送されてきた場合の原稿Ｓを１枚ずつ分離して送り出すことが可能に構成されている。
【００３０】
搬送ローラ２０４は、搬入ローラ２０３によって搬入された原稿Ｓを、搬送路２２０中を搬送させるものであるとともに、原稿Ｓの先端が揃えられたタイミングで当該原稿Ｓを第２プラテンガラス３０３へ向けて搬送する所謂レジストローラでもある。搬送ローラ２０４の位置まで搬入されてきた原稿Ｓは、その先端が搬送ローラ２０４と搬送ドラム２０５との間のニップ部の位置に当接して停止されるとともに、搬入ローラ２０３等による搬送によって原稿後部側が押されて先端が揃えられる（所謂スキューが修正される）。
【００３１】
搬送ローラ２０４直近の上流側でかつ搬送ローラ２０４と略対向する位置にはタイミングスイッチ２０４１が設けられている。このタイミングスイッチ２０４１は、搬送路２２０に所定の爪部材を突出し、搬送されてきた原稿Ｓの先端をこの突出した爪部材に当接させ、この爪部材に当接している原稿Ｓの先端がさらに上記ニップ部の位置に当接するまで当該爪部材を搬送方向へ回転させる。この回転に基づいて、タイミングスイッチ２０４１における例えば爪部材の回転支点側に配設されたスイッチ部２０４２によってオフ（又はオン）され、上記ニップ部の位置まで原稿Ｓ（の先端部）が搬入されてきたことが検出される。ただし、タイミングスイッチ２０４１が上記オフされた時点で時間のカウントが開始される。搬送ローラ２０４（及び搬送ドラム２０５）は、タイミングスイッチ２０４１がオフされてから所定時間が経過した時点で回転駆動を開始し、上述のように先端が揃えられた状態の原稿Ｓを下流に向けて送り出す。なお、上記「所定時間」として、原稿Ｓの先端が揃えられた時点で下流に向けてタイミングよく送り出すことができるような時間が例えば制御部２０に設定されている。
【００３２】
搬送ドラム２０５は、軸２０５１を回転中心として符号Ａで示す矢印方向に回転し、搬送路２２０や搬送路２５０における原稿Ｓを、原稿読取部３００の第２プラテンガラス３０３（原稿読み取り位置）へ向けて搬送するとともに、第２プラテンガラス３０３の位置において読み取られた原稿Ｓをさらに下流側に向けて搬送させるものである。読み取りガイド部材２０６は、第２プラテンガラス３０３との隙間を一定に保持して、第２プラテンガラス３０３位置における原稿Ｓの搬送を安定させ、読み取り動作を適正に行わせるためのものである。搬送ローラ２０７は、第２プラテンガラス３０３において読み取られた原稿Ｓを、再び原稿給送部２００側（搬送路２３０及び搬送路２４０）へ戻すべく搬送（搬入）させるものである。排出ローラ２０８は、搬送路２３０を搬送されてきた原稿Ｓを、原稿排出部２１３へ排出するものである。
【００３３】
反転ローラ２０９は、両面コピーを行う、すなわち、原稿の両面（表裏面）の読み取りを行う場合等において、原稿Ｓの裏表面の向き、すなわち、第２プラテンガラス３０３における原稿読み取り側の面を反転させるためのものである。反転ローラ２０９は、搬送路２４０を搬送されてきた原稿Ｓを、当該原稿Ｓの後端部が反転ローラ２０９の位置辺りにくるまで搬送し（原稿Ｓの先端側を原稿給送部２００外へ出し）、その後、反転ローラ２０９の回転を逆回転させて当該原稿Ｓを原稿給送部２００内へ戻し、搬送路２５０へ向けて搬送する。これにより、第２プラテンガラス３０３に対する原稿Ｓの読み取り面が反転される。
【００３４】
ストッパ２１０は、原稿載置部２０１上に載置（セット）された原稿Ｓが、ピックアップローラ２０２によって繰り出される前に、原稿載置部２０１の奥の方（搬入ローラ２０３の近傍位置）まで挿し込まれてしまうのを防止するものである。ストッパ２１０は、下方に向けて延びてなるアーム状体であり、上端側が上記可動部材２１０１に回動可能に支持されている。このストッパ２１０は、ピックアップローラ２０２による繰り出し動作が行われる前には、原稿載置部２０１から搬入ローラ２０３への搬送路２２０を塞ぐような位置に配置され、ピックアップローラ２０２による原稿Ｓの繰り出し動作が行われるときには、搬送路２２０を開けるように上方に向けて回転される。
【００３５】
セットスイッチ２１１は、原稿載置部２０１上に載置される原稿Ｓ（原稿用紙）の有無を検出するものである。セットスイッチ２１１は、下方に向けて延びてなるアーム状体であり、上端側が可動部材２１０１に回動可能に支持されている。セットスイッチ２１１は、ストッパ２１０よりも上流側に配置されており、原稿載置部２０１上に載置された原稿Ｓの先端が当接して搬送方向に押されて、当該セットスイッチ２１１に当接している原稿Ｓの先端がさらにストッパ２１０に当接する位置まで回転し、セットスイッチ２１１の下端側に配設されたスイッチ部２１１１によってオフ（又はオン）されることにより、原稿載置部２０１上に原稿Ｓが載置されていることを検出する。分岐ガイド２１２は、搬送ローラ２０７より下流の搬送経路を、搬送路２３０及び搬送路２４０のいずれかに切り換えるためのものである。原稿排出部２１３は、排出ローラ２０８によって排出された原稿Ｓを載置する台部である。
【００３６】
パンチ孔検出部２６０は、給送される原稿Ｓのパンチ孔の位置を検出するものである。
パンチ孔検出部２６０は、複数の光センサを備えてなり、これら光センサは、搬送路２２０に搬送方向（後述する搬送方向Ｂ）と略垂直方向に並設されるとともに、搬送路２２０における原稿搬送時の当該原稿のパンチ孔位置に対応する位置に配置（配列）されている。光センサは、所定の光、例えば赤外光を射出する発光部（図略）と当該射出された光を受光する受光部（図略）とからなるものであり、ここでは、所謂反射型のフォトセンサが採用される。
【００３７】
図３は、パンチ孔検出部２６０におけるフォトセンサ２６１の配列について説明する図である。図３に示すパンチ孔検出部２６０は、図２における符号Ｂで示す矢印方向（矢印Ｂ方向）から見た図（拡大概略図）である。原稿３１〜３３は、搬送路２２０を搬送される原稿の一例であり、原稿のサイズ及び向き（搬送方向；進行方向）が異なるものを示している。原稿３１は、原稿３１の長手方向が矢印Ｃで示す搬送方向（搬送方向Ｃ）に対する垂直方向となるような向き（以降、縦向きという）で搬送される（又は原稿載置部２０１にセットされる）「Ａ４」サイズの原稿である。同様に、原稿３２は横向きの「Ｂ４」サイズの原稿であり、原稿３３は「Ａ４」サイズの横向きの原稿である。これら原稿３１〜３３の上下左右端部のいずれかの位置には、それぞれパンチ孔３４ａ〜３４ｄが形成されている（図３では、説明上、上下左右端部位置のパンチ孔を各原稿の図に纏めて示している）。
【００３８】
パンチ孔検出部２６０の各フォトセンサ２６１は、上記各原稿が搬送路２２０を搬送されるときのパンチ孔の通過位置と対応する位置（パンチ孔が検出可能となる位置）に配置されている。例えば原稿３１では、パンチ孔３４ａに対してフォトセンサ２６１ａが、パンチ孔３４ｃ及び３４ｄに対してフォトセンサ２６１ｂ及び２６１ｃが、パンチ孔３４ｂに対してフォトセンサ２６１ｄがそれぞれ対応して配置されている。同様にして、原稿３２、３３を含め、その他、搬送原稿として予め設定されている全ての原稿のサイズ及び向きに応じたパンチ孔通過位置に対応可能となる位置にフォトセンサ２６１が配設されている。この場合、各フォトセンサ２６１は、例えば原稿が原稿載置部２０１にセットされ、例えば原稿載置部２０１の一端側（ここでは上端側）に寄せて揃えられる符号Ｄで示す位置、すなわち、搬送方向Ｃと垂直な方向における原稿搬送に関して設定した基準位置を基準として配置されている。
【００３９】
なお、この基準位置はこれに限らず、例えば原稿載置部２０１（パンチ孔検出部２６０）の中央位置に設定してもよい。また、パンチ孔検出部２６０におけるフォトセンサ２６１の配置（個数）は、これに限らず、一度にパンチ孔が３個あるいは４個形成される３つ穴式や４つ穴式の場合を考慮した配置とされてもよい。また、各フォトセンサ２６１は、通過する原稿のパンチ孔が検出可能な配置であるならば、図３に示すように一直線上に（一列に）配置されなくともよく、例えば千鳥状に（複数列に）配置されてもよい。
【００４０】
図４は、図１に示す複写機１の概略構成を示すブロック図である。複写機１は、装置全体の動作制御を司る制御部２０を備える。制御部２０は、複写機１の制御プログラム等を記憶するＲＯＭ（Read Only Memory）、一時的にデータを格納するＲＡＭ（Random Access Memory）、及び上記制御プログラム等をＲＯＭから読み出して実行するＣＰＵ等からなり、操作表示部６００等において入力された所定の指示情報や、本装置の各所に設けられた各種センサからの検出信号に応じて装置全体の制御を行うものである。制御部２０は、レーザ走査ユニット１０５や定着ローラ１０７等からなる画像形成部１００、原稿載置部２０１や搬送ローラ２０４等からなる原稿給送部２００、スキャナ３０１や第１プラテンガラス３０２等からなる原稿読取部３００、給紙カセット４０１、４０２や搬送経路４０４、４０５等からなる給紙部４００、パンチ処理部５０１やステイプル処理部５０４等からなる後処理部５００、スタートキー６０１や表示器６０３等からなる操作表示部６００、画像記憶部３０及び画像処理部４０などが接続されている。
【００４１】
画像記憶部３０は、原稿読取部３００によって読み取られた原稿画像データや図略のネットワークＩ／Ｆ部等を介して外部装置から送信されてきた画像データを一時的に記憶するメモリである。画像記憶部３０は、原稿画像データとともに、当該原稿画像に対するパンチ孔の位置の情報（パンチ孔位置情報）を、各原稿画像データと関連付けて記憶する。
【００４２】
画像処理部４０は、上記画像データに対する各種画像処理を行うものである。画像処理部４０では、画像データのＡ／Ｄ変換が行われ、当該Ａ／Ｄ変換された画像データを用いて各種画像処理が行われる。
【００４３】
画像処理部４０は画像回転部４１を備える。画像回転部４１は、画像記憶部３０に記憶された各原稿に対応する原稿画像データ及びパンチ孔位置情報、並びに後述する用紙情報記憶部２２に記憶されている設定情報に基づいて、時計方向又は反時計方向への原稿画像の回転処理を行うものである。これは、パンチ処理部５０１において、穿孔できる方向が固定化されているため、当該パンチ処理部５０１の穿孔方向に用紙方向（画像方向）を修正することを目的としている。
【００４４】
画像回転部４１は、パンチ孔の位置、すなわち、パンチ処理部５０１によってパンチ孔を形成する位置を、用紙における搬送方向Ｃの前後いずれかの側（用紙の先端側又は後端側）の位置に揃えるべく（本実施形態では、先端側に揃える）原稿画像の回転を行う。
【００４５】
制御部２０は、パンチ孔開けモード設定部２１、用紙情報記憶部２２、孔位置判別部２３及び用紙情報再設定部２４を備える。パンチ孔開けモード設定部２１は、原稿をコピーするとともに、原稿にパンチ孔が形成されている場合に、当該コピーが行われた用紙に対して原稿と同じ位置にパンチ孔を形成して出力させるパンチ孔開けモードの設定を行うものである。パンチ孔開けモード設定部２１は、操作表示部６００から孔開けモードキー６０４の押下等によって入力された、上記パンチ孔開けモードにする孔開け指示情報を受け付けて当該パンチ孔開けモードの設定を行う。パンチ孔開けモード設定部２１は、パンチ孔開けモードが設定されると、原稿におけるパンチ孔の有無に拘わらず原稿のコピーを行う通常の状態（印刷モード）から、原稿のパンチ孔がパンチ孔検出部２６０で検出されて当該検出情報に基づいて原稿画像の回転処理を行ったり、給紙カセットの再設定を行うといったことが可能となる状態（パンチ孔開けモード）への切り替えを行う。
【００４６】
用紙情報記憶部２２は、用紙のサイズ及び向きに関する設定情報を記憶するものである。この設定情報は、具体的には、種々のサイズや向きの用紙がセットされている給紙カセットのうちのいずれの給紙カセットの選択を行うかを示す情報である。ただし、設定情報は、原稿載置部２０１に原稿をセットする際に、当該原稿のサイズ及びセットした向きと一致する給紙カセットの選択（指示入力）が行われることによって用紙情報記憶部２２に記憶（設定）されてもよいし、あるいは、予め使用頻度の高い原稿のサイズ（例えばＡ４サイズ）及びこの原稿が一般的に原稿載置部２０１にセットされる向き（例えば縦向き）に対応して、デフォルトとして記憶されていてもよい。
【００４７】
孔位置判別部２３は、パンチ孔検出部２６０（フォトセンサ２６１）からの検出情報に基づいて、すなわち、原稿給送時の原稿の移動に伴う、フォトセンサ２６１の受光部による受光レベルの変化の違いに基づいて、原稿のパンチ孔位置を判別（検出）するものである。ここで、受光レベルの変化の違いについて、以下、図５を用いて説明する。
【００４８】
図５は、原稿給送時において、原稿がパンチ孔検出部２６０を通過するときの受光部による受光レベルの変化の違いを示す図である。原稿５１の例えば上端部にパンチ孔５２、あるいは、例えば左端部にパンチ孔５３が形成されているとする（ここでは、パンチ孔５１、５２は説明上同じ原稿５１に記載している）。また、原稿給送時には原稿５１が搬送方向Ｃで搬送されるとする。原稿給送に伴い、原稿５１がパンチ孔検出部２６０を通過するとき、複数のフォトセンサ２６１によって原稿５１が走査される。この走査時には、フォトセンサ２６１の発光部から光が出射され、原稿５１の表面又は装置壁面（例えば搬送路２２０のパンチ孔検出部２６０と対向する位置に設けられた所定の反射部材）に反射され、この反射光が受光部によって受光される。
【００４９】
ここで、例えばパンチ孔５２が、或るフォトセンサ２６１による走査線Ｌ１上に存在する場合、符号５４に示す受光レベルの波形図に示すように、走査が進行するにつれ（時間軸における時間が経過するにつれ）、受光部による受光レベルが変化する。フォトセンサ２６１による走査が原稿５１の符号６１に示す端辺位置に達すると、受光レベルは、符号６５に示す位置で下がる。ここでは、受光レベルの変化を走査対象物の濃度（画像濃度）の変化と関連付けており、受光レベルが高いほど濃度が高いことを示している。走査位置が符号６２及び符号６３に示す位置、すなわちパンチ孔５２の位置にくると、それぞれ符号６６及び符号６７に示す位置で受光レベルが一時的に上がる。走査位置が原稿５１の符号６４に示す位置に達すると、受光レベルは符号６８に示す位置で上がる。よって、この波形図における符号６９に示す受光レベルが下がっている箇所が、走査線Ｌ１上において原稿５１の表面が走査されたことを示している。このように、或る１つのフォトセンサ２６１によってパンチ孔５２を含む走査線上で原稿５１が走査され、原稿５１の上端部にパンチ孔５２が形成されていることを示す波形図（受光レベルの変化パターン）が得られる。
【００５０】
また、例えばパンチ孔５３が、或るフォトセンサ２６１による走査線Ｌ２、Ｌ３上に存在する場合、符号５５に示す波形図が得られる。この場合も同様に、走査位置が符号７１に示す原稿５１の端辺位置に達すると受光レベルが下がり、符号７３に示す端辺位置に達すると受光レベルが上がる。走査位置が符号７２に示すパンチ孔５３（一対のパンチ孔５３のうちの一方側のパンチ孔）の位置にきたときには、符号７５に示す位置で受光レベルが一時的に上がる。波形図の符号７８に示す受光レベルが下がっている箇所が、走査線Ｌ２又はＬ３上において原稿５１の表面が走査されたことを示している。このように、複数のフォトセンサ２６１における或る２つのフォトセンサ２６１によって、パンチ孔５３を含む走査線上で原稿５１が走査され、原稿５１の左端部にパンチ孔５３が形成されている場合の波形が得られる。
【００５１】
なお、原稿５１の右端部にパンチ孔が形成されている場合もこれと同様にして受光レベルの波形が得られる。また、下端部のパンチ孔が走査されたときの波形は、符号５４に示す波形と同じとなるが、走査に用いられたフォトセンサ２６１の違いにより、上端部か下端部かのパンチ孔位置の違いが区別される。また、受光レベルは上記濃度として変化するものでなくともよく、これにより、例えば符号５４、５５の波形図に示す受光レベルの高低（山及び谷）が逆になってもよい。いずれにしても、走査時における原稿の表面部とパンチ孔部との受光レベルの差違が判別可能となる波形が得られる構成であればよい。
【００５２】
用紙情報再設定部２４は、画像処理部４０（画像回転部４１）によって回転された原稿画像の回転角度の情報と、用紙情報記憶部２２に記憶された設定情報における用紙の向きの情報とに基づき、当該用紙情報記憶部２２に設定情報として設定（記憶）されている用紙の向きの情報（具体的には、或る給紙カセットの選択情報）を、原稿画像の向きと一致する用紙の向きの情報（用紙の向きが原稿画像の向きと一致する給紙カセットの選択情報）に再設定（変更）させるものである。ただし、本実施形態では、原稿画像の回転角度が（時計又は反時計回りに）９０度である場合において当該再設定が行われ、回転角度が０度又は１８０度の場合には、再設定が行われない構成となっている。
【００５３】
ここで、上下左右いずれかの端部にパンチ孔が形成されている原稿を用紙にコピーするとともに、用紙の当該原稿のパンチ孔位置と同じ位置にパンチ孔を形成する動作の一例について、以下説明する。
【００５４】
図６は、原稿のパンチ孔の各形成位置（上下左右いずれかの端部）に対応した（１）〜（４）の場合における、原稿又は用紙の向きの状態を（紙面の上から下への説明の流れに沿って）一覧に纏めたものである。なお、図６において各原稿や原稿画像の図中に示されている「ａｂｃ」は、画像及び画像の向きを示すためのものであり、また、白抜きの矢印は、図３に示す搬送方向Ｃを示している。まず、パターン（１）の場合、符号６１ａに示す欄（欄６１ａ）に示すように、上端部に１対のパンチ孔６８ａが形成されている原稿６７ａが、原稿給送部２００により縦向きで搬送方向Ｃに搬送され、パンチ孔検出部２６０によってパンチ孔の位置が検出されるとともに、原稿読取部３００によってこの原稿が読み取られ、欄６２ａに示すように縦向きの原稿画像が得られる。一方、欄６３に示すように、原稿と同じサイズ及び向きの用紙（給紙カセット）が設定されている。
【００５５】
次に、欄６４ａに示すように、原稿６７ａにおける原稿画像とパンチ孔６８ａとの位置関係と同じにするべく、欄６２ａに示す原稿画像が、パンチ孔６８ａの位置が搬送方向Ｃにおける前側（先端側）の位置にくるように反時計回りに９０度回転される。原稿画像がこのように回転されると、欄６５ａに示すように、上記欄６３に示す用紙の向きと一致させるべく、用紙の向きが横方向となる給紙カセットの選択情報に再設定（変更）される。そして、欄６６ａに示すように、横向きに給紙される用紙に対して、欄６４ａにおいて回転された原稿画像が印刷（画像形成）され、当該原稿画像が印刷された用紙の上記搬送方向Ｃにおける前側（先端側）の位置にパンチ孔６９ａが形成される。これにより、欄６１ａに示す原稿６７ａと同じ状態のもの（原稿画像及び原稿画像に対するパンチ孔の位置が同じもの）が出力される。
【００５６】
パターン（２）の場合、欄６１ｂに示すように、下端位置にパンチ孔６８ｂが形成されている原稿６７ｂが縦向きで搬送され、欄６２ｂに示すように、原稿が読み取られて縦向きの原稿画像が得られる。一方、用紙は、パターン（１）の場合と同じサイズ及び向きのものが設定されている（欄６３）。次に、欄６４ｂに示すように、パンチ孔６８ｂの位置が搬送方向Ｃにおける前側の位置にくるように時計回りに９０度回転される。そして、欄６５ｂに示すように、横向きの用紙（給紙カセット）が再設定され、欄６６ｂに示すように、横向きに再設定された用紙（横向きの用紙）に対して、欄６４ｂにおいて回転された原稿画像が印刷され、上記と同様に先端側の位置にパンチ孔６９ｂが形成される。
【００５７】
パターン（３）の場合、欄６１ｃに示すように、左端位置にパンチ孔６８ｃが形成されている原稿６７ｃが縦向きで搬送され、欄６２ｃに示すように、原稿が読み取られて縦向きの原稿画像が得られる。一方、用紙は、パターン（１）の場合と同じサイズ及び向きのものが設定されている（欄６３）。パンチ孔６８ｃの位置は、既に搬送方向Ｃにおける前側の位置になっているため、原稿画像の回転は行われない（欄６４ｃ）。また、欄６４ｃにおいて原稿画像の回転が行われないため（回転角度は０度）、欄６３における用紙の向きと欄６２ｃにおける原稿画像の向きは同じであり、用紙の再設定も行われない（欄６５ｃ）。そして、欄６６ｃに示すように、欄６３において設定されている用紙に対し、欄６２ｃにおいて回転された原稿画像が印刷され、上記と同様に先端側の位置にパンチ孔６９ｃが形成される。
【００５８】
パターン（４）の場合、欄６１ｄに示すように、右端位置にパンチ孔６８ｄが形成されている原稿６７ｄが縦向きで搬送され、欄６２ｄに示すように、原稿が読み取られて縦向きの原稿画像が得られる。一方、用紙は、パターン（１）の場合と同じサイズ及び向きのものが設定されている（欄６３）。次に、欄６４ｄに示すように、パンチ孔６８ｄの位置が搬送方向Ｃにおける前側の位置にくるように時計（反時計）回りに１８０度回転される。欄６４ｄにおいて原稿画像の回転が行われるものの、欄６３における用紙の向きと当該欄６４ｄにおける原稿画像の向きとは同じであり、用紙（給紙カセット）の再設定は行われない（欄６５ｄ）。そして、欄６６ｄに示すように、欄６３において設定されている用紙に対し、欄６４ｄにおいて回転された原稿画像が印刷され、上記と同様に、先端側の位置にパンチ孔６９ｄが形成される。
【００５９】
このようにして、原稿に対するパンチ孔の形成位置に応じて、適宜、原稿画像の回転処理、あるいは用紙（給紙カセット）の再設定が行われ、原稿と同じ状態での用紙の出力が行われる。
【００６０】
図７は、原稿をコピーするとともにパンチ孔を形成して出力する場合の複写機１の動作の一例を示すフローチャートである。まず、原稿を原稿給送部２００（原稿載置部２０１）にセットしたときに、あるいはデフォルトとして、用紙のサイズ及び向きに関する設定情報（給紙カセットの選択情報）が用紙情報記憶部２２に記憶される（ステップＳ１）。次に、孔開けモードキー６０４の押下等による指示入力に応じて、パンチ孔開けモード設定部２１によってパンチ孔開けモードが設定される（ステップＳ２）。スタートキー６０１等の押下による指示入力に応じて、原稿載置部２０１から原稿が１枚ずつ取り込まれて搬送路２２０を搬送され、パンチ孔検出部２６０及び孔位置判別部２３によって原稿におけるパンチ孔の位置が検出（判別）される（ステップＳ３）。その後、原稿読取部３００（第２プラテンガラス３０３の位置）により原稿画像が読み取られるとともに、当該原稿画像データと、上記ステップＳ３において得られたパンチ孔位置情報とが関連付けされて画像記憶部３０に記憶される（ステップＳ４）。
【００６１】
全原稿に対する画像読み取り（パンチ孔位置の検出）が終了していない場合には（ステップＳ５のＮＯ）、ステップＳ３に戻って次の原稿の取り込み及びパンチ孔の検出が行われる。全原稿に対する画像読み取りが終了した場合には（ステップＳ５のＹＥＳ）、次のステップにおいて、用紙情報記憶部２２に記憶されている設定情報が、用紙情報再設定部２４によって取得（確認）される（ステップＳ６）。そして、画像回転部４１によって、画像記憶部３０に原稿画像データとともに記憶されているパンチ孔位置情報に基づき、原稿におけるパンチ孔の位置が上端部であると判別された場合には（ステップＳ７のＹＥＳ）、原稿画像が反時計回りに９０度回転（回転処理）される（ステップＳ８）。パンチ孔の位置が上端部でなく（ステップＳ７のＮＯ）、下端部であると判別された場合には（ステップＳ９のＹＥＳ）、画像回転部４１によって原稿画像が時計回りに９０度回転される（ステップＳ１０）。パンチ孔の位置が下端部でなく（ステップＳ９のＮＯ）、左端部であると判別された場合には（ステップＳ１１のＹＥＳ）、原稿画像が０度回転される、すなわち、原稿画像の回転が行われない（ステップＳ１２）。パンチ孔の位置が左端部でない場合（ステップＳ１１のＮＯ）、すなわち、右端部であると判別された場合には、原稿画像が時計回り又は反時計回りに１８０度回転される（ステップＳ１３）。
【００６２】
画像回転部４１による原稿画像の回転角度の情報と、用紙情報記憶部２２に記憶された用紙の向きの情報（設定情報に含まれる）とに基づいて、用紙情報再設定部２４により、用紙情報記憶部２２に現在記憶されている用紙の向きの情報（給紙カセットの選択情報）の再設定が必要であると判別された場合には（ステップＳ１４のＹＥＳ）、当該用紙情報記憶部２２に記憶されている用紙の向きの情報が、原稿画像の向きと一致する用紙の向きの情報（給紙カセットの選択情報）に再設定される（ステップＳ１５）。そして、当該再設定により選択されている給紙カセットから用紙が給送され、この用紙に対して画像形成部１００により原稿画像の印刷（画像形成）が行われる（ステップＳ１６）。再設定が不要であると判別された場合には（ステップＳ１４のＮＯ）、ステップＳ１６に進み、上記ステップＳ１の設定情報において選択されている給紙カセットから用紙が給紙され、この用紙に対して原稿画像の印刷が行われる。
【００６３】
その後、当該原稿画像が印刷された用紙に対して、パンチ処理部５０２によってパンチ孔の形成が行われ（ステップＳ１７）、所定の排出トレイ（例えばサブトレイ５０８）へ排出される（ステップＳ１８）。全原稿画像に対して終了すれば（ステップＳ１９のＹＥＳ）、フロー終了となり、全原稿画像に対して終了していなければ（ステップＳ１９のＮＯ）、上記ステップＳ６に戻って次の原稿画像に対する動作が継続される。なお、上記ステップＳ１８において、パンチ処理だけでなくステイプル処理も行われ、例えばメイントレイ５０６へ排出されてもよい。この場合、ステップＳ１８とステップＳ１９との位置が入れ替わったフローとなる。
【００６４】
以上のように、本発明の画像形成装置によれば、用紙のサイズ及び向きに関する設定情報が用紙情報記憶部２２に記憶されており、画像処理部４０（画像回転部４１）によって、パンチ孔検出部２６０（孔位置判別部２３）により検出された原稿のパンチ孔位置の情報に基づいて、原稿読取部３００により読み取られた原稿画像が所定角度回転され、一方、用紙情報再設定部２４によって、原稿画像の回転角度の情報と、用紙情報記憶部２２に記憶された設定情報における用紙の向きの情報とに基づいて、用紙情報記憶部２２に設定情報として設定（記憶）されている用紙の向きの情報が、原稿画像の向きと一致する用紙の向き（例えば給紙カセットの選択情報）の情報に再設定（変更）される。このように、  パンチ孔検出部２６０（孔位置判別部２３）により検出された原稿のパンチ孔位置の情報に基づいて、読み取られた原稿画像が所定角度回転されるとともに、当該回転された原稿画像の向きと一致するように用紙の向きが自動的に変更されるため、パンチ孔の形成位置が異なる原稿毎に分けて処理する必要がなく、原稿をコピーするとともに当該原稿のパンチ孔と同じ位置へのパンチ孔の形成が容易に行えるようになり、ひいては作業効率を向上されることができる。
【００６５】
また、原稿給送部２００によって原稿が搬送路（ここでは搬送路２２０）を搬送され、いずれかのフォトセンサ２６１によって、走査線上に存在するパンチ孔の検出が行われるため、フォトセンサ２６１を搬送路２２０に配置するといった簡易な構成で、上記原稿をコピーするとともに当該原稿のパンチ孔と同じ位置へのパンチ孔の形成を行うことが可能となる。また、フォトセンサ２６１を用いることにより原稿搬送の妨げとなることなく、確実にパンチ孔位置の検出が行えるようになる。
【００６６】
また、フォトセンサ２６１による走査線上のパンチ孔の有無、あるいはパンチ孔の形成位置の違いに応じて受光部による受光レベルの波形が異なるものとなり、この差違によってパンチ孔位置が検出されるため、光センサの受光部による受光レベルの変化の違いに基づいて、パンチ孔位置の検出を容易に行うことができる。
【００６７】
また、原稿画像が回転されて、用紙におけるパンチ孔が形成される位置が搬送方向の前後いずれかの側の位置に揃えられるため、用紙に対するパンチ孔の形成位置を固定することができ、パンチ処理を行う位置を搬送方向に対する前後左右の位置に切り替えるといった特別な装置を用いずとも、既設のパンチ処理部５０１を用いて当該用紙に対するパンチ孔の形成を行うことができ、ひいては複写機１の部品点数の低減を図ることができる。なお、本発明は、以下の態様をとることができる。
【００６８】
（Ａ）原稿におけるパンチ孔（パンチ孔位置）の検出は、画像処理部４０による画像処理によって行う構成であってもよい。この場合、画像処理部４０に、パンチ孔を判別する基準としてのパンチ孔パターン、例えば図８（ａ）に示すようなパンチ孔パターン８１の情報を記憶しておき、原稿読取部３００等により読み取った原稿画像の例えば画像濃度レベル（黒画素であるか白画素であるか）に基づいて当該原稿画像中の黒点部の輪郭（輪郭線）を算出し（例えば図８（ｂ）に示すような黒点部８２の内部８２１と、外部８２２との境界線８２３（境界点）を算出し）、この輪郭の情報と上記パンチ孔パターン８１の情報とに基づき、当該黒点部がパンチ孔であるか否かを判別することにより、原稿におけるパンチ孔の位置を検出する構成であってもよい。
【００６９】
上記パンチ孔パターン８１の情報は、ここでは、本実施形態における原稿の上下左右端部のいずれかの位置に１対のパンチ孔が形成されている場合を想定するものであり、上記黒点部８２（境界線８２３）との比較を行う基準としての基準パンチ孔８３の、形状、孔径、孔同士の間隔等の情報が含まれている。なお、パンチ孔８３の情報は、実際の各原稿におけるパンチ孔位置の検出範囲として設定されているパンチ孔パターン範囲８４内の原稿画像に対して用いられる構成となっている。ただし、このようなパンチ孔パターン範囲８４を設定せずに、原稿画像全体に亘って上記黒点部と基準パンチ孔との比較を行う構成であってもよい。
【００７０】
このように、画像処理部４０による画像処理によってパンチ孔の位置の検出が行われるため、パンチ孔検出部２６０（フォトセンサ２６１）等を設けることなく、複写機１における既設の画像処理部４０を用いてパンチ孔位置の検出を行うことができるため、ひいては複写機１の部品点数の低減を図ることができる。
【００７１】
（Ｂ）原稿画像が印刷された用紙に対するパンチ孔の形成位置は、当該用紙の搬送方向Ｃの先端側の位置に揃えなくともよく、例えば用紙の後端側あるいはそれ以外の位置に揃えてもよい。この場合、原稿画像の回転角度や給紙カセットの選択（設定情報）等もこのパンチ孔の形成位置に対応するものとなる。
【００７２】
（Ｃ）パンチ孔検出部２６０は、図２に示すような搬送ローラ２０４の下流側に配設せずともよく、搬送ローラ２０４の上流側に配設してもよい。また、搬送路２２０でなく、搬送路２３０、２４０又は２５０に配設してもよい。
【００７３】
（Ｄ）フォトセンサ２６１は、透過型のフォトセンサであってもよい。この場合、例えば発光部及び受光部がそれぞれ搬送路２２０を挟んで対向するように配設され、給送される原稿による、発光部及び受光部間の光の遮断・非遮断の情報に基づいて、原稿におけるパンチ孔の位置（各パンチ孔に対応する受光レベルの波形）が検出される構成であってもよい。
【図面の簡単な説明】
【００７４】
【図１】本発明の実施形態に係る画像形成装置の一例である複写機の内部構成を概略的に示す断面図である。
【図２】図１に示す原稿給送部の拡大図である。
【図３】パンチ孔検出部におけるフォトセンサの配列について説明する図である。
【図４】図１に示す複写機の概略構成を示すブロック図である。
【図５】原稿給送時において原稿がパンチ孔検出部を通過するときの受光部による受光レベルの変化の違いを示す図である。
【図６】原稿のパンチ孔の各形成位置に対応する各場合における、原稿又は用紙の向きの状態を一覧に纏めた図である。
【図７】原稿をコピーするとともにパンチ孔を形成して出力する場合の複写機の動作の一例を示すフローチャートである。
【図８】画像処理部でのパンチ孔位置検出について説明する図であり、（ａ）は、パンチ孔パターンを示す図であり、（ｂ）は、原稿画像の黒点部を示す図である。
【符号の説明】
【００７５】
１  複写機（画像形成装置）
２０  制御部
２１  パンチ孔開けモード設定部
２２  用紙情報記憶部（用紙情報記憶手段）
２３  孔位置判別部（孔位置検出手段）
２４  用紙情報再設定部（再設定手段）
３０  画像記憶部
４０  画像処理部（請求項５に記載の孔位置検出手段）
４１  画像回転部（画像回転手段）
１００  画像形成部
２００  原稿給送部
２２０、２３０、２４０、２５０  搬送路
２６０  パンチ孔検出部（孔位置検出手段）
２６１  フォトセンサ（光センサ）
３００  原稿読取部
５００  後処理部
５０１  パンチ処理部
５０４  ステイプル処理部
６００  操作表示部
Ｌ１、Ｌ２、Ｌ３  走査線
【図１】
2005269173.tif 000003
【図２】
2005269173.tif 000004
【図３】
2005269173.tif 000005
【図４】
2005269173.tif 000006
【図５】
2005269173.tif 000007
【図６】
2005269173.tif 000008
【図７】
2005269173.tif 000009
【図８】
2005269173.tif 000010